(57)【要約】【課題】  椅子のカバー部材を極めて容易に交換することを可能にするカバー部材の保持構造と、それを備える椅子を提供することを課題とする。【解決手段】  クッション材と、前記クッション材を支持する支持体と、前記クッション材を覆うカバー部材を前記カバー部材の上から押さえる枠体とを備え、前記支持体は前記クッション材の外周よりも外側にはみ出す縁部を有し、前記枠体が、前記カバー部材の一部を前記枠体の前記内周側面と前記クッション材の外周側面との間及び前記枠体の前記下面と前記支持体の前記縁部との間に挟持する位置に配置されることを特徴とする、椅子におけるカバー部材保持構造と、そのような保持構造を有する椅子を提供することによって解決する。【選択図】  図１
2019118465.tif 000002
【特許請求の範囲】
【請求項１】
クッション材と、前記クッション材を支持する支持体と、前記クッション材を覆うカバー部材を前記カバー部材の上から押さえる枠体とを備え、前記支持体は前記クッション材の外周よりも外側にはみ出す縁部を有し、前記枠体は、前記支持体に支持される前記クッション材の外周側面と対向する内周側面及び前記支持体の前記縁部と対向する下面を有しており、前記枠体が、前記クッション材を覆う前記カバー部材の一部を前記枠体の前記内周側面と前記クッション材の外周側面との間及び前記枠体の前記下面と前記支持体の前記縁部との間に挟持する位置に配置されることを特徴とする、椅子におけるカバー部材保持構造。
【請求項２】
前記支持体が、前記縁部を前記クッション材の外周全周に有しており、前記枠体が、前記クッション材の外周側面の全周と対向する内周側面と、前記クッション材の外周全周に存在する前記縁部と対向する下面を有している請求項１記載の椅子におけるカバー部材保持構造。
【請求項３】
前記支持体が前記クッション材の外周の一部に前記縁部が存在しない部分を有し、前記枠体が、前記部分において、前記クッション材の外周側面と対向する内周側面及び前記支持体の前記縁部と対向する下面を有する枠体に代えて、前記支持体の下面又は前記支持体が取り付けられる椅子の構造部材の下面若しくは背面と対向する対向面を有する補助枠体を有しており、前記枠体が、前記クッション材に被せられている前記カバー部材の一部を前記枠体の前記内周側面と前記クッション材の外周側面との間及び前記枠体の前記下面と前記支持体の前記縁部との間に前記カバー部材を挟持する位置に配置されるとともに、前記縁部が存在しない前記部分においては、前記補助枠体が、前記カバー部材の一部を前記補助枠体の前記対向面と前記支持体の下面又は前記支持体が取り付けられる椅子の構造部材の前記下面若しくは背面との間に挟持する位置に配置される、請求項１記載の椅子におけるカバー部材保持構造。
【請求項４】
前記クッション材の前記外周側面、前記支持体の前記縁部、前記枠体の前記内周側面、及び前記枠体の前記下面から選ばれるいずれか１箇所又は２箇所以上に、前記カバー部材の滑りを防止する滑り止めが設けられている請求項１〜３のいずれかに記載の椅子におけるカバー部材保持構造。
【請求項５】
前記枠体の前記縁部と対向する下面から上面までの高さが、前記支持体に支持される前記クッション材の高さよりも低く設定されている請求項１〜４のいずれかに記載の椅子におけるカバー部材保持構造。
【請求項６】
前記枠体が前記カバー部材の一部を前記枠体の前記内周側面と前記クッション材の外周側面との間及び前記枠体の前記下面と前記支持体の前記縁部との間に挟持する位置に、前記枠体を前記支持体に対して位置決め及び／又は一時固定する手段を備えている請求項１〜５のいずれかに記載の椅子におけるカバー部材保持構造。
【請求項７】
請求項１〜６のいずれかに記載の椅子におけるカバー部材の保持構造を、座、背、又は肘に備えている椅子。
【発明の詳細な説明】
【技術分野】
【０００１】
本発明は、椅子におけるカバー部材の保持構造と当該保持構造を備える椅子に関し、詳細には、椅子のクッション材の外面を覆うカバー部材を容易に交換することを可能にする椅子におけるカバー部材の保持構造と、その保持構造を備える椅子に関する。
【背景技術】
【０００２】
学校、幼稚園、図書館、介護施設、食堂、集会所などで使用される椅子には、座り心地を良くするために、座や背にクッション材を配置し、その外面をカバー部材で覆った構造のものが良く用いられている。
【０００３】
これら座や背にカバー部材で覆われたクッション材を有する椅子は、座ったときに臀部や背部が受ける衝撃が少なく、疲れ難いとともに、クッション材を覆うカバー部材の種類によっては清潔な感じや明るい感じ、さらには落ち着いた雰囲気や高級感が得られたりするので、座や背が板材やプラスチック等のむき出しの硬質材質で構成されている椅子に比べると、利用者の受ける満足度は高い。
【０００４】
しかし、クッション材を覆うカバー部材は、使用とともに汚れたり、摩耗や破損したりすることは避けられず、それ以外にも、何らかの突発的な原因で汚損することがあり、その場合には、新しいカバー部材との交換が望まれるが、通常、カバー部材は椅子の座面その他の構造部材に鋲やコの字状の針で打ち付けられているか溶着されており、その取り外しや新しいカバー部材の張り付けには熟練した技術を必要とし、素人では容易には行えないという問題点がある。
【０００５】
この問題点を解決すべく、例えば、特許文献１においては、カバー部材の縁部を巻き付ける差し込み板なるものを用い、この差し込み板にカバー部材の縁部を巻き付けながら差し込み板を座板の裏側に形成された嵌合部に嵌め込む構造とすることによって、カバー部材の取り外しや張り付けを容易にするとした技術が開示されている。しかしながら、この技術では、座板の裏側に差し込み板を嵌め込む嵌合部を複数箇所形成しなければならず、座板の構造が複雑になるとともに、カバー部材を巻き付けながら差し込み板を前記嵌合部に嵌め込む作業にもある程度の熟練が求められるので、カバー部材をより容易に交換可能とするという観点からは十分なものとはいえない。
【０００６】
一方、特許文献２には、カバー部材の縁部を座の下に巻き込み、この状態で座を座受に取り付けるようにすることで、カバー部材の交換に要する労力を軽減したとする技術が開示されている。しかしながら、この技術においては、カバー部材の縁部に係合部を設け、この係合部を座受に設けた係止部に引き込んだ状態で係り合わせる必要があり、座受の構造が複雑になる上に、作業が繁雑になり、カバー部材の交換をより容易に行う上では物足りない。
【先行技術文献】
【特許文献】
【０００７】
【特許文献１】特開平９−６５９５５号公報
【特許文献２】特開２００３−２８４６２２号公報
【発明の概要】
【発明が解決しようとする課題】
【０００８】
本発明は、上記のような従来技術の問題点を解決するために為されたもので、クッション材とそれを覆うカバー部材を有する椅子において、カバー部材を極めて容易に交換することを可能にするカバー部材の保持構造と、それを備える椅子を提供することを課題とするものである。
【課題を解決するための手段】
【０００９】
本発明者は上記の課題を解決すべく鋭意試行錯誤を重ねた。その結果、カバー部材を鋲や針等で椅子の構造材に固定するのではなく、クッション材を支持する支持体の形状に工夫を凝らすとともに、クッション材にカバー部材を被せた状態で、前記支持体と相呼応する構造を有する枠体でカバー部材の縁部を押さえ付けるだけという極めて簡単な構造で、カバー部材を使用上何らの問題もない強さと張りでクッション材上に保持できることを見出した。また、当該保持構造が、椅子の座だけでなく、背や肘にも適用可能であることを確認して、本発明を完成した。
【００１０】
すなわち、本発明は、クッション材と、前記クッション材を支持する支持体と、前記クッション材を覆うカバー部材を前記カバー部材の上から押さえる枠体とを備え、前記支持体は前記クッション材の外周よりも外側にはみ出す縁部を有し、前記枠体は、前記支持体に支持される前記クッション材の外周側面と対向する内周側面及び前記支持体の前記縁部と対向する下面を有しており、前記枠体が、前記クッション材を覆う前記カバー部材の一部を前記枠体の前記内周側面と前記クッション材の外周側面との間及び前記枠体の前記下面と前記支持体の前記縁部との間に挟持する位置に配置されることを特徴とする、椅子におけるカバー部材保持構造と、当該カバー部材保持構造を座、背、又は肘に備える椅子を提供することによって上記課題を解決するものである。
【００１１】
本発明に係るカバー部材の保持構造においては、上記のとおり、カバー部材は、カバー部材の上に配置される枠体によって、枠体の内周側面とクッション材の外周側面との間及び枠体の下面と支持体の縁部との間に挟持されるだけであるので、例えば枠体を上方に持ち上げるなどして、枠体を前記挟持位置から取り外すことによって、カバー部材をクッション材から容易に取り外すことができる。新たなカバー部材をクッション材に取り付けるには、逆に、新たなカバー部材をクッション材上に被せた後に枠体を再び挟持位置に載置すれば良く、カバー部材の交換、張り替えを極めて容易に行うことができる。なお、クッション材を覆うように被せられるカバー部材が、少なくとも前記クッション材の前記支持体上に露出している部分を覆うに足る大きさを有していることはいうまでもない。
【００１２】
枠体は、通常、クッション材の外周全周にわたって存在するのが好ましく、したがって、枠体の下面と対向する支持体の前記縁部も、クッション材の外周全周にわたって存在するのが望ましい。
【００１３】
しかしながら、枠体は、必ずしもクッション材の外周側面の全周にわたって存在しなくても良く、例えば、クッション材が座面に配置されるクッション材である場合には、ヒトが椅子に腰掛けた状態での前方部分には、支持体の縁部や前記縁部と対向する下面を有する枠体は存在しなくても良い。椅子の前方部分に支持体の縁部や枠体が存在しない部分が設けられている場合には、椅子にヒトが腰掛けたとき、腿の下や膝の裏に当接する可能性のある硬い部材である支持体の縁部や枠体が存在しないことになるので、より快適な座り心地が得られるという利点がある。
【００１４】
ただし、カバー部材をクッション材上にしっかりと保持するという観点からは、支持体の縁部や枠体がない部分においてもカバー部材をクッション材の外周側面や支持体等に押圧する必要がある。このため、支持体の縁部や枠体がない部分には、支持体の下面若しくは前記支持体が取り付けられる椅子の構造部材の下面と対向し、それらいずれかの下面と自身との間にカバー部材の一部を挟持する対向面を有する補助枠体を設けるのが望ましい。
【００１５】
前記補助枠体は、適宜の結合部材を介して前記枠体と一体的に結合されていても良いし、カバー部材の一部を挟持する挟持位置と、枠体の挟持位置への配置の妨げとならない待避位置との間を移動できるように前記枠体に回動自在に取り付けられていても良く、さらには、前記枠体と着脱自在に結合できるようにされていても良い。補助枠体が枠体と着脱自在に結合できるようにされている場合には、両者を分離した状態で、一部存在しない部分を有する前記枠体を、通常どおり、カバー部材の上から支持体の縁部上に載置して挟持位置に配置し、その後、前記補助枠体を前記枠体本体と結合して、枠体及び縁部が存在しない部分のカバー部材を支持体の下面若しくは前記支持体が取り付けられる椅子の構造部材の下面と補助枠体の前記対向面との間で挟持すれば良い。
【００１６】
補助枠体が、カバー部材の一部を挟持する挟持位置と、枠体の挟持位置への配置の妨げとならない待避位置との間を移動できるように前記枠体に回動自在に取り付けられている場合には、補助枠体を待避位置に移動させ、その状態で、通常どおり、枠体をカバー部材の上から支持体の縁部上に載置して挟持位置に配置し、その後、前記補助枠体を挟持位置へと移動させ、枠体及び縁部が存在しない部分のカバー部材を支持体の下面若しくは前記支持体が取り付けられる椅子の構造部材の下面と補助枠体の前記対向面との間で挟持すれば良い。
【００１７】
一方、補助枠体が前記枠体と一体的に結合されている場合には、そのままでは前記補助枠体が妨げとなり、前記枠体をクッション材を覆うカバー部材の上方から挟持位置である支持体の縁部上に配置することができないが、前記枠体の補助枠体とは反対側の位置にある一部（例えば、補助枠体が椅子の前方側にある場合には椅子の後方側に位置する枠体の一部）を前記枠体に対して着脱自在とし、前記枠体の一部を枠体本体から取り外した状態で、前記枠体を前記補助枠体とともにクッション材の前方側から挟持位置に差し込んで配置し、その後、一時的に取り外されていた前記枠体の一部を枠体本体に取り付ければ良い。
【００１８】
或いは、前記枠体の一部を前記枠体に対して着脱自在とするのではなく、その部分の枠体の一部を取り除き、その代わりに椅子の背板を使用しても良い。すなわち、前記一部を取り除いた枠体を前記補助枠体とともにクッション材の前方側から所定の挟持位置に差し込んで配置した後、背板を後方又は上方から存在しない枠体の一部が占めるべき位置に配置して、背板の前方側の側面とクッション材の外周側面との間及び背板の下面と支持体の縁部との間にカバー部材を挟持するようにしても良い。
【００１９】
クッション材が椅子の背に配置されるクッション材である場合も同様で、例えば、ヒトが椅子に腰掛けた状態での椅子の背の上方部分には、支持体の縁部並びに前記縁部と対向する下面を有する枠体は存在しなくても良い。椅子の背の上方部分に支持体の縁部や枠体が存在しない場合には、椅子にヒトが腰掛けたとき、肩や首の後或いは後頭部に当接する支持体縁部や枠体などの硬い部材が存在しないので、より快適な座り心地が得られるという利点がある。
【００２０】
ただし、支持体の縁部や枠体が存在しない椅子の背の上方部分には、カバー部材をクッション材の外周側面や支持体縁部との間に挟持する枠体が存在しないので、座の枠体について述べたと同様に、クッション材を覆うカバー部材を支持体の下面若しくは前記支持体が取り付けられる椅子の背の背面との間に挟持する対向面を有する補助枠体を設けるのが望ましい。
【００２１】
前記補助枠体が適宜の結合部材を介して前記枠体と一体的に結合されていても良いし、作動位置と待避位置との間で移動可能に前記枠体に取り付けられていても良いし、さらには、前記枠体と着脱自在に結合できるようにされていても良いことは、先に座の枠体について述べたと同様である。また、前記椅子の背の上方部分と対向する椅子の下方部分に相当する枠体の一部分を前記枠体に対して着脱自在としても良いことも、先に座の枠体について述べたと同様である。
【００２２】
本発明のカバー部材保持構造は、その好適な一態様において、前記クッション材の前記外周側面、前記支持体の前記縁部、前記枠体の前記内周側面、及び前記枠体の前記下面から選ばれるいずれか１箇所又は２箇所以上に、前記カバー部材の滑りを防止する滑り止めが設けられている。本発明のカバー保持構造が斯かる滑り止めを有している場合には、枠体を所定の挟持位置に配置することによって、カバー部材を引っ張ってその張りをより強くしたり、カバー部材の位置ズレや抜けを防止してカバー部材をよりしっかりと保持することが可能になるという利点が得られる。
【００２３】
滑り止めとしては、それぞれの面とカバー部材との間の滑りを少しでも防止することができるものであれば良く、その材質や構造、配置等には特段の制限はないが、例えば、摩擦係数の大きな布、紙、ゴム、合成樹脂等を適宜の大きさに切断したものを貼り付けるか、枠体或いは支持体の表面の一部に凹凸を形成するようにしても良い。なお、枠体を配置してカバー部材をクッション材上に張るという観点からは、滑り止めは、クッション材の外周側面よりも、枠体の内周側面に設けるのが好ましく、支持体の縁部よりも、枠体の下面に設けるのが好ましい。
【００２４】
本発明のカバー部材保持構造は、その好適な他の一態様において、前記枠体の前記縁部と対向する下面から上面までの高さが、前記支持体に支持される前記クッション材の高さよりも低く設定されている。枠体の高さがクッション材の高さよりも低い場合には、ヒトが椅子に腰掛けたとき、臀部や背がクッション材に支えられ、太腿や膝の裏若しくは背中が硬い枠体に当接することが防止されるので、座り心地がより快適になるという利点が得られる。
【００２５】
枠体とクッション材の高さの差に特段の制限はないが、太腿や膝の裏側が枠体になるべく当接しないようにするためには、クッション材の弾性の強さにもよるが、少なくとも１ｃｍ以上、好ましくは２ｃｍ以上、クッション材の高さよりも枠体の高さ方が低いのが好ましく、背中が枠体になるべく当接しないようにするためには、クッション材の弾性の強さにもよるが、少なくとも０．５ｃｍ以上、好ましくは１ｃｍ以上、枠体の高さの方が低いのが好ましい。なお、ここでいう枠体の高さとは、支持体の縁部とカバー部材を挟んで対向する枠体の下面から枠体の上面までの高さをいい、クッション材の高さとは、クッション材に外力が掛かっていない状態で、支持体の縁部からクッション材の最高点までの高さを意味している。
【００２６】
本発明のカバー部材保持構造は、その好適なさらに他の一態様において、前記枠体を所定の挟持位置、すなわち、枠体の前記内周側面と前記クッション材の外周側面との間及び前記枠体の前記下面と前記支持体の前記縁部との間に前記カバー部材を挟持する位置に位置決めする手段又は一時固定する手段、或いはその双方を備えているのが望ましい。
【００２７】
位置決め手段及び一時固定手段の構造や形状に特段の制限はないが、例えば、支持体の縁部の所定位置に設けられ、縁部を貫通し、枠体に到達するネジ穴と、当該ネジ穴と螺合するネジを位置決め及び一時固定手段としてあげることができる。支持体縁部と枠体下面との間にカバー部材の一部を挟持した状態で、前記ネジ穴に前記ネジを差し込んで回転、螺合させることによって、枠体を支持体に対し位置決めするとともに支持体に一時固定することができる。この場合、ネジを締め付けることにより、枠体下面と支持体の縁部との距離が狭まり、カバー部材がより強力に挟持されることとなり、カバー部材の保持をより安定的かつ確実にすることができるという利点が得られる。なお、ネジが貫通する部分に当たるカバー部材は、予め切り取るなどして取り除いておいても良いし、そのままに残して、ネジが貫通するに任せても良い。
【００２８】
なお、本明細書において、前方とは、椅子にヒトが腰掛けたときのヒトの向く方向をいい、後方とはその逆の方向をいうものとする。また、上とは、椅子にヒトが腰掛けたときの上方をいい、下とはその逆の方向をいうものとする。ただし、支持体とクッション材と枠体に関しては、上又は上面とは、支持体にクッション材が支持された状態で、前記クッション材が突出している方向又はその方向を向いた面をいい、下又は下面とはその逆の方向又はその逆の方向を向いた面をいうものとする。
【００２９】
また、本発明が対象とする椅子には、それがクッション材とそれを覆うカバー部材を有している椅子である限り、その形状や構造、材質等に特に制限はない。また、用いられる場所に関しても制限はなく、学校、幼稚園、保育園、図書館、食堂、介護施設、病院、イベント会場、劇場、コンサートホール等、いずれの場所で使用される椅子であっても良い。
【発明の効果】
【００３０】
本発明に係るカバー部材の保持構造並びに当該保持構造を備えた椅子によれば、熟練した技術をもたない人であっても、椅子のクッション材を覆うカバー部材を、必要に応じて随時、取り外し、取り付けて、容易に交換することができる。このため、経年変化による劣化や汚れはもとより、突発的な出来事によって椅子のカバー部材が汚損した場合にも、例えばその使用現場において、直ちに、新しいカバー部材と交換することができるという利点が得られる。椅子から取り外されたカバー部材は、可能な場合には、洗濯等によって汚れを除去し、再使用することも可能である。
【００３１】
加えて、本発明に係るカバー部材の保持構造においては、カバー部材はクッション材の上に載置されているだけであるので、カバー部材とクッション材との間に、例えば、防水能や吸水能を有するシート状の材料を予め挟み込み、介在させておくことによって、突発的な出来事によってカバー部材が汚損しても、その汚損がカバー部材の下にあるクッション材等にまで達するのを防止でき、椅子本体に汚れや臭いが付着するのを防止することができるという利点が得られる。
【００３２】
さらには、本発明に係るカバー部材の保持構造とそれを備える椅子によれば、座、背、或いは肘のカバー部材を随時、容易に交換することができるので、着せ替える感覚で椅子のカバー部材を交換し、様々な効果を実現することができる。例えば、カバー部材として、種々の色彩のものを用意しておき、適宜取り替えることによって、椅子が設置されている場所の雰囲気を変えたり、色彩に加えて図形や文字などを表示したカバー部材を適宜交換して用いれば、椅子の背や座を介して様々なメッセージを発信したり、椅子を広告の手段として利用することもできる。
【図面の簡単な説明】
【００３３】
【図１】本発明に係るカバー部材保持構造を座に備える椅子の一例を示す斜視図である。
【図２】支持体とクッション材だけを取り出して示す平面図である。
【図３】支持体とクッション材だけを取り出して示す正面図である。
【図４】支持体の他の一例を示す平面図である。
【図５】枠体だけを取り出して示す斜視図である。
【図６】椅子にクッション材付の支持体を取り付けた状態を示す斜視図である。
【図７】カバー部材が椅子の座のクッション材上に張られた状態の椅子を示す斜視図である。
【図８】椅子の座におけるカバー部材保持構造の垂直断面図である。
【図９】椅子の座におけるカバー部材保持構造の一応用例を示す垂直断面図である。
【図１０】本発明に係るカバー部材保持構造を座に備える椅子の他の一例を示す斜視図である。
【図１１】椅子にクッション材付の支持体を取り付けた状態を示す斜視図である。
【図１２】補助枠体を枠体本体に結合する様子を示す斜視図である。
【図１３】本発明に係るカバー部材保持構造によってカバー部材が椅子の座のクッション材上に張られた状態の椅子を示す斜視図である。
【図１４】枠体の他の例を示す側面図である。
【図１５】枠体の更に他の例を示す平面図である。
【図１６】着脱自在な枠体の一部を枠体本体に取り付ける様子を示す斜視図である。
【図１７】本発明に係るカバー部材保持構造を背に備える椅子の一例を示す斜視図である。
【図１８】本発明に係るカバー部材保持構造によってカバー部材が椅子の背のクッション材上に張られた状態の椅子を示す斜視図である。
【図１９】椅子の背におけるカバー部材保持構造の水平断面図である。
【図２０】椅子の背におけるカバー部材保持構造の水平断面図である。
【図２１】本発明に係るカバー部材保持構造を肘に備える椅子の一例を示す斜視図である。
【図２２】本発明に係るカバー部材保持構造によってカバー部材が椅子の肘のクッション材上に張られた状態の椅子を示す斜視図である。
【発明を実施するための形態】
【００３４】
以下、図面を用いて本発明を詳細に説明するが、本発明が図示のものに限られないことは勿論である。
【００３５】
図１は、本発明に係るカバー部材保持構造を座に備える椅子の一例を示す斜視図である。便宜上、カバー部材保持構造は、椅子から取り外し、各要素に分解した状態で示してある。
【００３６】
図１において、１は本発明に係るカバー部材保持構造であり、カバー保持構造１は、支持体２、クッション材３、及び枠体４を有している。αはカバー部材である。クッション材３は、接着その他の適宜の手段で支持体２に取り付けられており、支持体２に固定、支持されている。
【００３７】
１０は椅子であり、１１ａ、１１ｂは側座枠、１２は後座枠、１３は前座枠、１４ａ〜１４ｄは脚、１５は背板、１６ａ〜１６ｄは隅木である。
【００３８】
図２は、支持体２とクッション材３だけを取り出して示す平面図であり、図３はその正面図である。図２に見られるとおり、クッション材３の平面形状は支持体２の上面の平面形状よりも一回り小さく選ばれており、かつ、クッション材３は支持体２の略中央に取り付けられているので、支持体２の上面には、クッション材３で覆われず、クッション材３の外周よりも外側にはみ出している縁部５ａ、５ｂ、５ｃ、５ｄがクッション材３の外周全体にわたって略均等の幅で存在している。
【００３９】
６ａ、６ｂ、６ｃ、６ｄは、クッション材３の外周側面であり、本例の場合、クッション材３は水平断面形状が略正方形であるので、外周側面６ａ〜６ｄは、クッション材３の外周を取り囲む四辺の面として存在している。
【００４０】
また、本例においては、支持体２は板状で、クッション材３で覆われている部分にも縁部５ａ〜５ｄと同じ材料で構成された同じ厚さの板状部分が存在しているが、クッション材３が取り付けられる部分は、縁部５ａ〜５ｄとは異なる材料、構造であっても良い。例えば、図４にクッション材３を取り除いた支持体２の平面図を示すが、クッション材３が取り付けられる部分の中央部を空間とし、そこに樹脂製のテープ状の素材７ａ、７ｂを縦横に交差させて編んだ網状物を掛け渡して、その上にクッション材３を固定するようにしても良い。このようにする場合には、網状物下の支持体２の空間部分をクッション材３の撓み代として利用できるので、よりソフトな座り心地が得られる。樹脂製のテープ状の素材７ａ、７ｂに代えて、他の適宜の弾性を有する素材を用いても良いことは勿論である。
【００４１】
なお、クッション材３は、通常、椅子のクッションとして用いられる材料であればどんな材料を用いて形成されたものであっても良く、例えば、ポリウレタン樹脂を用いて形成されたものが好適に用いられる
【００４２】
図５は、枠体４だけを取り出して示す斜視図である。図５に示すとおり、枠体４は断面が長方形である４つの長尺状部材４ａ、４ｂ、４ｃ、４ｄを四角く組合わせた額縁状の形状をしており、枠体４の内側には、クッション材３の外周がすっぽり収まる形状、大きさの空間が形成されている。８ａ、８ｂ、８ｃ、８ｄは、枠体４の内周に形成される内周側面である。枠体４の内周側面８ａ、８ｂ、８ｃ、８ｄはクッション材３の外周側面６ａ、６ｂ、６ｃ、６ｄと対応しており、後述するとおり、枠体４が所定の挟持位置に配置されたとき、内周側面８ａ〜８ｄは、それぞれ、クッション材３の外周側面６ａ〜６ｄと対向する。
【００４３】
また、枠体４を構成する長尺状部材４ａ、４ｂ、４ｃ、４ｄの下面９ａ、９ｂ、９ｃ、９ｄは、支持体２の縁部５ａ、５ｂ、５ｃ、５ｄと対応しており、後述するとおり枠体４が所定の挟持位置に配置されたとき、支持体２の縁部５ａ、５ｂ、５ｃ、５ｄとそれぞれ対向する。なお、本例において、枠体４の外周は支持体２の外周と一致しており、枠体４を挟持位置に配置したとき、支持体２の縁部５ａ〜５ｄの上面と枠体４の下面９ａ〜９ｄは過不足なく重なり合うが、縁部５ａ〜５ｄが下面９ａ〜９ｄよりも外側にはみ出しても良いし、逆に、下面９ａ〜９ｄが縁部５ａ〜５ｄよりも外側にはみ出しても良い。
【００４４】
カバー部材αは、クッション材３の上に被せられてクッション材３を覆うものであり、本発明のカバー部材の保持構造においては、適宜交換の対象となるものである。カバー部材αは、椅子のクッション材を覆うカバー部材として使用される素材であればどんな素材から構成されていても良く、例えば、布、皮、ビニール、レザー、その他、適宜の材料で構成することができる。但し、カバー部材αは、クッション材３の外周側面６ａ〜６ｄ及び支持体２の縁部５ａ〜５ｄに沿って曲がることができる程度に柔軟性を備えたものが好ましい。また、カバー部材αは、少なくともクッション材３の支持体２上に露出している部分を覆うに足る大きさであるのが好ましい。
【００４５】
使用に際しては、図１に矢印で示すとおり、まずクッション材３を取り付けた支持体２を椅子１０の側座枠１１ａ、１１ｂ及び前座枠１３を利用して椅子１０に取り付ける。本例においては、支持体２が椅子１０の座面を兼ねているので、支持体２を直接側座枠１１ａ、１１ｂ及び前座枠１３に取り付けるようにしているが、支持体２とは別に椅子１０に適宜の座面を設けても良いことは勿論であり、その場合、クッション材３を取り付けた支持体２は椅子１０に存在する座面上に取り付けられることになる。図６は、椅子１０に支持体２とクッション材３とが取り付けられた状態を示している。
【００４６】
支持体２とクッション材３の取り付が終わると、図６に矢印で示すように、クッション材３の上にカバー部材αを被せる。このとき、カバー部材３の周辺がクッション材３の外周を超えて支持体２の縁部５ａ〜５ｄ上にまで広がるようにするのが良い。次いで、カバー部材αに覆われたクッション材３がすっぽりと枠体４の内側に入るように、カバー部材αの上方から枠体４を、その下面９ａ〜９ｄが支持体２の縁部５ａ〜５ｄとカバー部材αを介して当接するまで押し下げる。これにより、まずカバー部材αは、枠体４の内周側面８ａ〜８ｄとクッション材３の外周側面６ａ〜６ｄの間に挟まれ、枠体４の下方への移動とともにカバー部材αも下方に引っ張られる。このとき、枠体４の内周側面８ａ〜８ｄに滑り止めが設けられていると、枠体４の下方への移動に伴いカバー部材αが受ける下方への引っ張り力も大きくなり、カバー部材αをクッション材３上によりしっかりと張ることができる。
【００４７】
枠体４は、下面９ａ〜９ｄが、カバー部材αを介して当接したところで、それ以上の下方への移動が阻止され、自身の下面９ａ〜９ｄと支持体２の縁部５ａ〜５ｄとの間にカバー部材αを挟持した状態で、移動を停止する。上記のようにして、枠体４は、枠体４の内周側面８ａ〜８ｄとクッション材３の外周側面６ａ〜６ｄとの間、及び枠体４の下面９ａ〜９ｄと支持体２の縁部５ａ〜５ｄとの間にカバー部材αの一部を挟持し、所定の挟持位置に配置される。図７は、カバー部材αの上から枠体４が所定の挟持位置に配置され、カバー部材αが、適度の張力が掛かった状態で、クッション材３上に張られた状態にある椅子１０を示している。
【００４８】
図８は、図７の椅子１０の座部分を椅子１０の前後方向の中央で垂直に切断した断面図である。各面の位置と関係が理解し易いように、図８（ａ）として、支持体２及びクッション材３と、枠体４と、それらの間に挟持されるカバー部材αとを別々に示した。図８に示すとおり、枠体４の内周側面８ａ、８ｃと、クッション材３の外周側面６ａ、６ｃとは対向する位置関係に、また、枠体４の下面９ａ、９ｃと支持体２の縁部５ａ、５ｃとは対向する位置関係にあり、図８（ｂ）に示すとおり、枠体４が所定の挟持位置に配置されることによって、カバー部材αの一部は、クッション材３の外周側面６ａ、６ｃと枠体４の内周側面８ａ、８ｃとの間、及び支持体２の縁部５ａ、５ｃと枠体４の下面９ａ、９ｃとの間に緊張状態で挟持され、クッション材３上に張架されることになる。
【００４９】
なお、このとき、枠体４の下面９ａ〜９ｄから上面までの高さＨ４は、支持体２に支持されるクッション材３の高さＨ３よりも低く設定されているので、カバー部材αを含めたクッション材３の頂部と、下にカバー部材αを挟持した枠体４の上面との間には、図に示すとおりΔＨ（＝Ｈ３−Ｈ４）の高低差があることになる。ΔＨは必ず必要というわけではないが、ΔＨが存在すると、ヒトが椅子１０に腰掛けたとき、太腿の裏側や膝の裏等が硬い枠体４と当たる不都合がより少なくなるので、ΔＨは存在する方が好ましい。太腿や膝の裏側が枠体４になるべく当接しないようにするためには、クッション材３の弾性の強さにもよるが、ΔＨは少なくとも１ｃｍ以上、好ましくは２ｃｍ以上あるのが望ましい。
【００５０】
カバー部材αを取り外すには、上記と逆の手順を取れば良い。すなわち、枠体４を上方に持ち上げて、クッション材３から取り外し、カバー部材αを挟持状態から解放するだけで良い。クッション材３から枠体４が取り外されると、カバー部材αはクッション材３上に載っているだけであるので、クッション材３から自在に取り外すことができる。新たなカバー部材にしたければ、その新たなカバー部材をクッション材３に被せ、枠体４を再び挟持位置に配置すれば良い。このように本発明のカバー部材保持構造によれば、クッション材を覆うカバー部材を極めて簡単な操作で容易に交換することが可能となる。
【００５１】
なお、図８には示してはないけれども、枠体４の内周側面８ａ〜８ｄ、さらには枠体４の下面９ａ〜９ｄ、及び支持体２の縁部５ａ〜５ｄには、滑り止めを設けるのが好ましい。滑り止めが設けられている場合には、カバー部材αが外力によって抜けたり、移動したりするのが防止され、カバー部材をより確実に保持することができる。特に、枠体４の内周側面８ａ〜８ｄに滑り止めが設けられている場合には、上記の利点に加えて、枠体４を上方から所定の挟持位置へと押し込んだとき、カバー部材αを下方へと引っ張り、カバー部材αをより強く張ることができるという利点が得られる。この利点を阻害しない範囲であれば、クッション材３の外周側面にも滑り止めを設けても良い。
【００５２】
滑り止めの素材や形状、構造には特段の制限はなく、カバー部材αとの摩擦係数が高いものであればどんな滑り止めであっても良い。例えば、摩擦係数の大きな布、紙、ゴム、合成樹脂等を適宜の大きさに切断したものを対象とする面に貼り付けるか、枠体或いは支持体の表面の一部を加工して、凹凸を形成するようにしても良い。
【００５３】
図９は、本発明に係るカバー部材保持構造１の一応用例を示す図である。図中、γは、防水能又は吸水能を有するシートであり、図９（ａ）に示すように、カバー部材αの交換時にクッション材３とカバー部材αの間にシートγを敷き、そのまま枠体４を所定の挟持位置に配置すると、図９（ｂ）に見られるとおり、カバー部材αは、その下にシートγを存在させたまま、クッション材３上に張架される。したがって、もしも突発的な出来事で、カバー部材αが汚れ、その汚れが仮にカバー部材αを貫通したとしても、その下にはシートγが存在し、汚れがクッション材３にまで達することが防止される。シートγは、カバー部材αの交換時に同時に取り替え、廃棄すれば良い。このようなことも、本発明に係るカバー部材保持構造１によって、カバー部材αの交換が誰でもいつでも可能であるからこその効果である。
【００５４】
なお、以上の説明では、椅子１０の座面やクッション材３の平面形状は全て略正方形であったが、本発明に係るカバー部材保持構造１が対象とする座面やクッション材３の平面形状は正方形に限られるものではない。長方形や円形、三角形でも良く、丸みを帯びた台形等であっても良く、クッション材３の外周の平面形状に合わせて枠体４の内周の平面形状を変えることにより、本発明に係るカバー部材保持構造１は、様々な平面形状を有する座面、クッション材を備えた椅子に対応可能である。
【００５５】
また、以上の説明では、枠体４を構成する長尺状部材４ａ〜４ｄの断面形状も略正方形であったが、長尺状部材４ａ〜４ｄの断面形状は正方形に限られない。長尺状部材４ａ〜４ｄは、クッション材３の外周側面と対向する内周側面、及び、支持体２の縁部と対向する下面を備えていれば良く、前記内周側面及び前記下面以外の面がどのような面で構成されているかは問わない。長尺状部材４ａ〜４ｄの断面形状としては、例えば、三角形、長方形、四分の一円、四分の一楕円等が挙げられる。
【００５６】
図１０は、本発明に係るカバー部材保持構造を座に備える椅子の他の一例を示す斜視図である。便宜上、カバー部材保持構造は、椅子から取り外し、各要素に分解した状態で示してある。
【００５７】
図１０に示すとおり、本例のカバー部材保持構造１においては、支持体２は、クッション材３の外周側面６ｂの部分に縁部５ｂを有していない。それに対応して、枠体４には、縁部５ｂに対応する長尺状部材４ｂが存在せず、クッション材３の外周側面６ｂと対向する内周側面８ｂも、縁部５ｂと対向する下面９ｂも存在しない。これに代わるものとして、本例のカバー部材保持構造１においては、クッション材３の外周側面６ｂに対応する部分に補助枠体４ｘが設けられている。
【００５８】
補助枠体４ｘは結合部材２０ａ、２０ｃを有し、結合部材２０ａ、２０ｃは結合用の凸部２１ａ、２１ｃを有している。一方、長尺状部材４ａ、４ｃの端面には結合用の凹部２２ａ、２２ｃが設けられており、凸部２１ａ、２１ｃを凹部２２ａ、２２ｃに挿入することによって、補助枠体４ｘは、枠体４に対し、着脱自在に結合できるようになっている。なお、９ｘは補助枠体４ｘが有する対向面である。
【００５９】
使用に際しては、図１０に矢印で示すとおり、まずクッション材３を取り付けた支持体２を椅子１０の側座枠１１ａ、１１ｂ及び前座枠１３を利用して椅子１０に取り付ける。この点は先に述べた例と同じであるが、椅子１０の前方部分に相当する箇所には縁部５ｂが存在せず、クッション材３の外周側面６ｂは、支持体２の前方端面と略同一平面上に位置している。図１１は、このようにしてクッション材３と支持体２を椅子１０に取り付けた状態を示している。なお、クッション材３の外周側面６ｂを、支持体２の前方端面よりも前方にやや突出させても良い。クッション材３の外周側面６ｂが支持体２の前方端面よりも前方に突出している場合には、ヒトが椅子１０に腰掛けたとき、膝裏が支持体２にあたる恐れがなくなるので、座り心地が良くなるという利点が得られる。
【００６０】
支持体２とクッション材３の取り付が終わると、図１１に矢印で示すとおり、クッション材３の上にカバー部材αを被せる。次いで、カバー部材αに覆われたクッション材３を、両側及び後方の三方から取り囲むように、カバー部材αの上から枠体４を押し込んで、枠体４の内周側面８ａ、８ｃ、８ｄとクッション材３の外周側面６ａ、６ｃ、６ｄとの間、及び枠体４の下面９ａ、９ｃ、９ｄと支持体２の縁部５ａ、５ｃ、５ｄとの間にカバー部材αの一部を挟持する。図１２は、枠体４を所定の挟持位置に配置して、カバー部材αを、両側及び後方の三方において挟持した状態を示している。
【００６１】
図１２に示すとおり、椅子１０の前方部分においては縁部５ｂも枠体４も存在しないので、カバー部材αは未だ挟持されない状態にあるが、ここで、図中矢印で示すように、補助枠体４ｘを椅子１０の前方から枠体４に向かって前進させ、前述した結合部材２０ａ及び２０ｃの凸部２１ａ、２１ｃを、枠体４の凹部２２ａ及び２２ｃに挿入し、補助枠体４ｘを枠体４に結合する。この結合時、補助枠体４ｘの対向面９ｘは、椅子１０の前方に垂れ下がっていたカバー部材αの一部を挟み込みながら、前座枠１３の下に挿入され、前座枠１３の下面と自身の対向面９ｘとの間にカバー部材を挟持する。図１３は、このようにしてカバー部材αが張架された状態にある椅子１０を示している。
【００６２】
図１３に示すとおり、本例のカバー部材保持構造１によれば、縁部５ｂや枠体４が存在しない椅子１０の前方部分において、カバー部材αは、椅子１０の構造部材である前座枠１３の下に大きく巻かれるように挟み込まれており、枠体４の露出部分が少なくなるので、椅子全体にソフトな感じを与えることができる。
【００６３】
なお、上記の例では、補助枠体４ｘは、枠体４に着脱自在に結合できるようにされているが、例えば、図１４に示すように、補助枠体４ｘを結合部材２０ａ、２０ｃとともに枠体４に対して回動自在に取り付け、図中実線で示す挟持位置と、破線で示す待避位置との間で移動可能としても良い。この場合には、補助枠体４ｘを結合部材２０ａ、２０ｃとともに待避位置に移動させた状態で、枠体４を、クッション材３を両側及び後方の三方から取り囲むように、カバー部材αの上から枠体４を押し込んで、カバー部材αの一部を挟持し、その後、補助枠体４ｘを挟持位置まで回転させて、補助枠体４ｘの対向面９ｘと前座枠１３の下面との間にカバー部材αの前方部分を挟持するようにすれば良い。
【００６４】
或いは、図１５に示すように、枠体４の長尺状部分４ｄを長尺状部分４ａ及び４ｃに対して着脱自在に構成しても良い。この場合には、補助枠体４ｘが枠体４に固定的に結合されていても、長尺状部分４ｄを枠体４から取り外すことによって、補助枠体４ｘを備えた枠体４を椅子１０の前方側から、カバー部材αで覆われたクッション材３に向けて前進させ、枠体４の内周側面８ａ、８ｃとクッション材３の外周側面６ａ、６ｃとの間、及び枠体４の下面９ａ、９ｃと支持体２の縁部５ａ、５ｃとの間、さらには、補助枠体４ｘの対向面９ｘと前座枠１３の下面との間にカバー部材αを挟持させることができる。
【００６５】
図１６はこの状態にある椅子１０を示している。補助枠体４ｘを備えた枠体４の挟持位置への配置が完了後、取り外してあった長尺状部材４ｄを、例えば、その両端に設けられた凸部２３ｄ、２３ｄを、長尺状部材４ａ又は４ｃの端部に設けられた凹部２４ａ、２４ｃに嵌め込むことによって、枠体４に結合すれば良い。これにより、椅子１０の後方側においても、カバー部材αは、枠体４の内周側面８ｄとクッション材３の外周側面６ｄとの間、及び枠体４の下面９ｄと支持体２の縁部５ｄとの間に挟持されることになり、カバー部材αはより安定的に保持される。
【００６６】
また、長尺状部材４ｄを枠体４に対して着脱自在に設ける代わりに、長尺状部材４ｄに代えて背板１５を利用するようにしても良い。すなわち、図１６において、長尺状部材４ｄが取り外されている状態で、クッション材３を長尺状部材４ａ及び４ｃの後端まで延ばすとともに、支持体２の後方側の縁部５ｄを背板１５の直下まで延長し、その上に、背板１５をスライドさせて背板１５の全面とクッション材３の外周側面６ｄとの間、及び背板１５の下面と縁部５ｄとの間で、カバー部材αを挟持するようにしても良い。
【００６７】
なお、以上の説明では、補助枠体４ｘの対向面９ｘと椅子１０の構造部材である前座枠１３の下面との間にカバー部材αが挟持されるが、例えば、支持体２を側座枠１１ａ、１１ｂ、及び前座枠１３から上方に浮かして椅子１０に取り付け、浮かして出来た空間を補助枠体４ｘを挿入する空間として利用し、補助枠体４ｘの対向面９ｘと支持体２の下面との間にカバー部材αを挟持するようにしても良い。
【００６８】
図１７は、本発明に係るカバー部材保持構造を背に備える椅子の一例を示す斜視図である。便宜上、一部を椅子から取り外した状態で示してある。
【００６９】
座におけるカバー部材保持構造と同様に、椅子の背におけるカバー保持構造１も、支持体２、クッション材３、及び枠体４を有している。αはカバー部材である。クッション材３は接着その他の適宜の手段で支持体２に取り付けられており、クッション材３は支持体２に固定、支持され、かつ、支持体２は、クッション材３とともに、適宜の手段で背板１５に取り付けられている。支持体２がクッション材３の外周側面６ａ〜６ｄに沿った縁部５ａ〜５ｄを有していること、枠体４がクッション材３の外周側面６ａ〜６ｄと対向する内周側面８ａ〜８ｄ、及び縁部５ａ〜５ｄと対向する下面９ａ〜９ｄを有していることも、座におけるカバー部材保持構造の場合と同様である。
【００７０】
使用に際しては、座におけるカバー部材保持構造と同様に、クッション材３の上にカバー部材αを被せ、その上から枠体４を所定の挟持位置に配置すれば良い。枠体４の配置は、本例の場合、カバー部材αを被せたクッション材３の上から枠体４をその内周にクッション材３がすっぽりと嵌り込むように押し込むことによって行われる。
【００７１】
図１８は、以上のようにして、枠体４が所定の挟持位置に配置され、枠体４の内周側面８ａ〜８ｄとクッション材３の外周側面６ａ〜６ｄの間、及び枠体４の下面９ａ〜９ｄと支持体２の縁部５ａ〜５ｄとの間にカバー部材αの一部が挟持され、背のクッション材３上にカバー部材αが緊張状態で取り付けられた状態を示す斜視図である。
【００７２】
図１９は、図１８の椅子１０の背部分をクッション材３の上下方向の中央で水平に切断した断面図である。説明のため、図の上部に図１９(a)として、支持体２及びクッション材３と、枠体４と、それらの間に挟持されるカバー部材αとを別々に示した。図１９に示すとおり、枠体４が所定の挟持位置に配置されることによって、カバー部材αの一部は、クッション材３の外周側面６ａ、６ｃと枠体４の内周側面８ａ、８ｃとの間、及び支持体２の縁部５ａ、５ｃと枠体４の下面９ａ、９ｃとの間に挟持され、クッション材３上に張架されている。
【００７３】
なお、このとき、枠体４の下面９ａ〜９ｄから上面までの高さｈ４は、支持体２に支持されるクッション材３の高さｈ３よりも低く設定されているので、カバー部材αを含めたクッション材３の頂部と、下にカバー部材αを挟持した枠体４の上面との間には、図に示すとおりΔｈ（＝ｈ３−ｈ４）の高低差があることになる。Δｈは必ず必要というわけではないが、Δｈが存在すると、ヒトが椅子１０に腰掛けたとき、背中が硬い枠体４に当たる不都合が低減されるという効果があるので、Δｈは存在する方が好ましい。背中が枠体４になるべく当たらないようにするためには、クッション材３の弾性の強さにもよるが、Δｈは少なくとも０．５ｃｍ以上、好ましくは１ｃｍ以上あるのが望ましい。
【００７４】
なお、図１９には示してはないけれども、座におけるカバー部材保持構造の場合と同様に、枠体４の内周側面８ａ〜８ｄ、さらには枠体４の下面９ａ〜９ｄ、及び支持体２の縁部５ａ〜５ｄには、滑り止めを設けるのが好ましい。滑り止めが設けられている場合には、カバー部材αが外力によって位置がズレたり、抜けたりするのが防止され、カバー部材をより確実に保持することができる。特に、枠体４の内周側面８ａ〜８ｄに滑り止めが設けられている場合には、上記の利点に加えて、枠体４を前方から所定の挟持位置へと押し込んだとき、カバー部材αを背側へと引っ張り、カバー部材αをより強く張ることができるという利点が得られる。この利点を阻害しない範囲であれば、クッション材３の外周側面にも滑り止めを設けても良い。
【００７５】
以上のとおり、椅子の背用のカバー部材保持構造と椅子の座用のカバー部材保持構造とは基本的に同じであり、座用のカバー部材保持構造において好ましいことは背用のカバー部材保持構造においても基本的に好ましく、座用のカバー部材保持構造における変形例は背用のカバー部材保持構造にも当てはまる。すなわち、椅子の背用のカバー部材保持構造１においても、枠体４を構成する長尺状部材４ｄに代えて、補助枠体４ｘを設けても良く、その際、補助枠体４ｘの枠体４に対する関係も着脱自在、挟持位置と待避位置とで移動可能、固定のいずれかから適宜選択すれば良い。補助枠体４ｘの機能と効能は、補助枠体４ｘの対向面との間でカバー部材αを挟持するのが、支持体２の下面若しくは椅子を構成する構造部材の下面から、支持体２の下面若しくは背板１５の背面に変わるだけで、椅子の座用のカバー部材保持構造における場合と同様である。
【００７６】
ただし、椅子の背用のカバー部材保持構造においては、椅子の背が通常ほぼ垂直な状態にあるため、何らかの手段で支持体２を背板１５に取り付け、固定することが必須となる。支持体２を背板１５に取り付け、固定する手段は任意のもので良く、例えば接着剤を用いての接着、ネジ止め、ボルトナット止め等を用いれば良い。
【００７７】
図２０は、支持体２の背板１５への取り付ける方法の一例を示す水平断面図である。図２０において、２５ａ、２５ｃは、背板１５及び支持体２を貫通し、先端が枠体４に達するネジ穴であり、２６ａ、２６ｃは当該ネジ穴と螺合されるネジである。なお、図２０では、ネジ穴及びネジともに２つずつしか表されていないけれども、支持体２の縁部５ａ〜５ｄに沿って、適宜の間隔で複数設けても良いことは勿論である。
【００７８】
上記のようなネジ穴２５ａ、２５ｃとネジ２６ａ、２６ｃによって支持体２が背板１５に取り付け、固定されるときには、当然に、関係する部材のネジ穴の位置を合わせることになるので、支持体２と背板１５の位置決めも為されることになる。また、ネジ２６ａ、２６ｃの先端が枠体４の長尺状部材４ａ、４ｃにまで達しているので、支持体２に対する枠体４の位置も位置決めされることになる。さらに、ネジ２６ａ、２６ｃを締め付けることによって、枠体４の下面９ａ、９ｃと支持体２の縁部５ａ、５ｃとの間に挟持されるカバー部材αも締め付けられることになるので、カバー部材αを下面９ａ、９ｃと縁部５ａ、５ｃとの間により強固に挟持することにもなる。
【００７９】
このように、ネジ穴とネジによる固定手段は、一時的な固定手段であるとともに位置決め手段ともなり、さらには、ネジ穴２５ａ、２５ｃの延在範囲にもよるが、カバー部材αのより強固な挟持にも寄与することができる優れた固定手段である。なお、ネジ穴２５ａ、２５ｃは、背板１５を貫通し、支持体２に達しているだけでも良く、その場合には、支持体２を背板１５に取り付けるという本来の役割を果たすことができる。また、ネジ穴とネジによる支持体２の取り付け、固定は、座用のカバー部材保持構造においても、位置決め手段及び一時固定手段として使用することができる。
【００８０】
なお、以上の説明では背板１５は平板状であったが、本発明に係るカバー部材保持機構が対象とする椅子の背は平板状に限られない。背板１５が曲板状である場合には、背板１５の曲面に合わせて湾曲させた支持体２を用い、枠体４も支持体２の湾曲に応じて曲面状に湾曲させたものを用いれば良い。
【００８１】
図２１は、本発明に係るカバー部材保持構造を肘に備える椅子の一例を示す斜視図である。便宜上、一部を椅子から取り外した状態で示してある。座におけるカバー部材保持構造と同様に、椅子の肘におけるカバー保持構造１も、支持体２、クッション材３、及び枠体４を有している。αはカバー部材である。クッション材３は接着その他の適宜の手段で支持体２に取り付けられている。支持体２がクッション材３の外周側面６ａ〜６ｄに沿った縁部５ａ〜５ｄを有していること、枠体４がクッション材３の外周側面６ａ〜６ｄと対向する内周側面８ａ〜８ｄ、及び縁部５ａ〜５ｄと対向する下面９ａ〜９ｄを有していることも、座におけるカバー部材保持構造と同様である。
【００８２】
使用に際しては、クッション材３を支持している支持体２を適宜の手段で椅子１０の肘２７に取り付け、その上からカバー部材αを被せ、さらに枠体４を所定の挟持位置に配置する。これにより、カバー部材αの一部は、クッション材３の外周側面６ａ〜６ｄと枠体４の内周側面８ａ〜８ｄとの間、及び支持体２の縁部５ａ〜５ｄと枠体４の下面９ａ〜９ｄとの間に挟持され、肘２７のクッション材３上に張架される。
【産業上の利用可能性】
【００８３】
以上述べたとおり、本発明のカバー部材保持構造及びそれを備える椅子によれば、座、背、又は肘のクッション材を覆うカバー部材を、随時、簡単な作業で取り替えることができ、経年変化による取り替え時は勿論、突発的な出来事によりカバー部材が汚れたり破損した場合にも、随時対応することができる。本発明によれば、これまで半固定的に考えられていた椅子のカバー部材を、着せ替え感覚で取り替えることが可能になり、学校や図書館、介護施設、病院、その他の場所において、椅子の利便性を著しく向上させるので、その産業上の利用可能性は多大である。
【符号の説明】
【００８４】
１            カバー部材保持構造
２            支持体
３            クッション材
４            枠体
４ｘ          補助枠体
５ａ〜５ｄ    縁部
６ａ〜６ｄ    クッション材の外周側面
８ａ〜８ｄ    枠体の内周側面
９ａ〜９ｄ    枠体の下面
９ｘ          対向面
１０          椅子
１１ａ、１１ｂ    側座枠
１２          後座枠
１３          前座枠
１４ａ〜１４ｄ    脚
１５          背板
１６ａ〜１６ｄ    隅木
２０ａ、２０ｃ    結合部材
２１ａ、２１ｃ、２３ｄ、２３ｄ    結合用凸部
２２ａ、２２ｃ、２４ａ、２４ｃ    結合用凹部
２５ａ、２５ｃ    ネジ穴
２６ａ、２６ｃ    ネジ
２７          肘
α            カバー部材
【図１】
2019118465.tif 000003
【図２】
2019118465.tif 000004
【図３】
2019118465.tif 000005
【図４】
2019118465.tif 000006
【図５】
2019118465.tif 000007
【図６】
2019118465.tif 000008
【図７】
2019118465.tif 000009
【図８】
2019118465.tif 000010
【図９】
2019118465.tif 000011
【図１０】
2019118465.tif 000012
【図１１】
2019118465.tif 000013
【図１２】
2019118465.tif 000014
【図１３】
2019118465.tif 000015
【図１４】
2019118465.tif 000016
【図１５】
2019118465.tif 000017
【図１６】
2019118465.tif 000018
【図１７】
2019118465.tif 000019
【図１８】
2019118465.tif 000020
【図１９】
2019118465.tif 000021
【図２０】
2019118465.tif 000022
【図２１】
2019118465.tif 000023
【図２２】
2019118465.tif 000024